(57)【特許請求の範囲】
【請求項１】
送風機からの吹出流を制御する緩流吹出構造であって、
前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に半円柱状の所定体積の空間を形成するように配置され、且つ前記空間の側面が開放されていることを特徴とする緩流吹出構造。
【請求項２】
送風機からの吹出流を制御する緩流吹出構造であって、
前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に断面がＵ字状のかまぼこ形状の所定体積の空間を形成するように配置され、且つ前記空間の側面が開放されていることを特徴とする緩流吹出構造。
【請求項３】
請求項１又は２において、前記通風抵抗体の上流側の吹出流路の、当該通風抵抗体が形成する空間の長手方向両側の一部が塞がれていることを特徴とする緩流吹出構造。
【請求項４】
送風機からの吹出流を制御する緩流吹出構造であって、
前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に半円柱状の所定体積の空間を形成するように配置され、且つ前記空間の側面が前記通風抵抗体により塞がれていると共に、前記通風抵抗体の上流側の吹出流路の前記空間の長手方向両側の一部が塞がれていることを特徴とする緩流吹出構造。
【請求項５】
送風機からの吹出流を制御する緩流吹出構造であって、
前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に断面がＵ字状のかまぼこ形状の所定体積の空間を形成するように配置され、且つ前記空間の側面が前記通風抵抗体により塞がれていると共に、前記通風抵抗体の上流側の吹出流路の前記空間の長手方向両側の一部が塞がれていることを特徴とする緩流吹出構造。
【請求項６】
送風機からの吹出流を制御する緩流吹出構造であって、
前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に球形状の所定体積の空間を形成するように配置され、且つ前記空間の側面が前記通風抵抗体により塞がれていると共に、前記通風抵抗体の上流側の吹出流路の前記空間の長手方向両側の一部が塞がれていることを特徴とする緩流吹出構造。
【請求項７】
請求項１〜６の何れかにおいて、前記通風抵抗体が所定の厚さを有して前記吹出流を３次元方向に拡散する作用を有し、風速が１ｍ／ｓｅｃ時の圧力損失が１０Ｐａ以下であることを特徴とする緩流吹出構造。
【請求項８】
請求項１〜７の何れかにおいて、前記通風抵抗体の風速方向の圧力損失勾配ｔａｎθが１．７〜１．９であることを特徴とする緩流吹出構造。
【請求項９】
請求項１〜８の何れかにおいて、前記通風抵抗体が連続気泡フォーム形態のシートからなることを特徴とする緩流吹出構造。
【請求項１０】
請求項１〜９の何れかにおいて、前記通風抵抗体が網形態のシートを複数枚積層したものであることを特徴とする緩流吹出構造。
【請求項１１】
請求項１〜１０の何れかの緩流吹出構造を具備することを特徴とする空気清浄装置。
【請求項１２】
請求項１１において、テーブル型であり、前記緩流吹出構造を通過した吹出流が少なくとも側面から吹き出されることを特徴とする空気清浄装置。
【請求項１３】
請求項１１又は１２において、テーブル型であり、前記緩流吹出構造を通過した吹出流が少なくとも底面から吹き出されることを特徴とする空気清浄装置。
【発明の詳細な説明】
【０００１】
【発明の属する技術分野】
本発明は、空気清浄装置、冷暖房装置、空気調和装置などのファンからの吹出流を制御するための緩流吹出構造及びそれを用いた空気清浄装置に関する。
【０００２】
【従来の技術】
近年、空気中の各種粉塵や煙草の煙を除去するために、分煙カウンター、分煙テーブル等が知られている。これらは、カウンターやテーブルに空気清浄機を付設又は内蔵したものである。
【０００３】
前述のような分煙カウンターや分煙テーブルは、送風機と空気清浄機とを内蔵した箱状の本体上面に、平板状の天板を載置した形態が一般的である。この天板の中央部に開口した吸込口から粉塵を含んだ空気やたばこ煙を吸引し、本体側面下方や本体底面から浄化された空気を排出する。また、分煙カウンターや分煙テーブルを総称してテーブル型空気清浄装置という。
【０００４】
このような空気清浄装置では、空気清浄能力は、吸込風量等によって決まり、それに応じた吹出流を、テーブル本体の側面下部や底面から排出する必要がある。
【０００５】
【発明が解決しようとする課題】
従来においては、吹出流が足下に吹き出してくることに伴う足寒感（ドラフト）により、吹出流の風速を落としたいという要求がある。
【０００６】
また、吹出流が強く壁や床に衝突すると、壁や床の汚れが出てくるという問題がある。
【０００７】
さらに、強い吹出流が誘引気流を発生させて吸込流に悪影響を与えたくないので、この点からも吹出流の風速を低下させたいという要求がある。
【０００８】
一方、風量を低下させると、吸込性能に影響し、空気清浄性能の低下にもつながるので、風量低下は避けたいという問題もある。
【０００９】
本発明は、このような事情に鑑み、風量を低下することなく前記問題が発生しがたい風速で吹出流が吹き出すように制御することができる緩流吹出構造及び空気清浄装置を提供することを課題とする。
【００１０】
【課題を解決するための手段】
前記課題を解決する本発明の第１の態様は、送風機からの吹出流を制御する緩流吹出構造であって、前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に半円柱状の所定体積の空間を形成するように配置され、且つ前記空間の側面が開放されていることを特徴とする緩流吹出構造にある。
【００１１】
かかる第１の態様では、ファンからの吹出流が通風抵抗体の上流の空間に溜まって、通風抵抗体が吹出流により一番抵抗が少ない半円柱状の空間に沿って変形し、吹出流は通風抵抗体の略全体に亘って略均一な風速で通過し、全体に亘って略均一な風速で且つ減じられた風速の吹出流となる。また、通風抵抗体の上流側の空間に溜まった吹出流の一部が側面から排出されるので、通風抵抗体により必要以上の抵抗が生じて風量を低下させる虞がない。
【００１２】
本発明の第２の態様は、送風機からの吹出流を制御する緩流吹出構造であって、前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に断面がＵ字状のかまぼこ形状の所定体積の空間を形成するように配置され、且つ前記空間の側面が開放されていることを特徴とする緩流吹出構造にある。
【００１３】
かかる第２の態様では、ファンからの吹出流が通風抵抗体の上流の空間に溜まって、通風抵抗体が吹出流により一番抵抗が少ないかまぼこ形状の空間に沿って変形し、吹出流は通風抵抗体の略全体に亘って略均一な風速で通過し、全体に亘って略均一な風速で且つ減じられた風速の吹出流となる。また、通風抵抗体の上流側の空間に溜まった吹出流の一部が側面から排出されるので、通風抵抗体により必要以上の抵抗が生じて風量を低下させる虞がない。
【００１４】
本発明の第３の態様は、第１又は２の態様において、前記通風抵抗体の上流側の吹出流路の、当該通風抵抗体が形成する空間の長手方向両側の一部が塞がれていることを特徴とする緩流吹出構造にある。
【００１５】
かかる第３の態様では、通風抵抗体の上流側に流れ込む吹出流が通風抵抗体の長手方向中央寄りに向かうようになるので、吹出流の大半が通風抵抗体を通過することとなり、拡散効果が効果的になる。
【００１６】
本発明の第４の態様は、送風機からの吹出流を制御する緩流吹出構造であって、前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に半円柱状の所定体積の空間を形成するように配置され、且つ前記空間の側面が前記通風抵抗体により塞がれていると共に、前記通風抵抗体の上流側の吹出流路の前記空間の長手方向両側の一部が塞がれていることを特徴とする緩流吹出構造にある。
【００１７】
かかる第４の態様では、ファンからの吹出流が通風抵抗体の上流の空間に溜まって、通風抵抗体が吹出流により一番抵抗が少ない半円柱状の空間に沿って変形し、吹出流は通風抵抗体の略全体に亘って略均一な風速で通過し、全体に亘って略均一な風速で且つ減じられた風速の吹出流となる。また、吹出流の全てが通風抵抗体により拡散され、全体に亘って略均一の風速の吹出流となる。さらに、通風抵抗体の上流側に流れ込む吹出流が通風抵抗体の長手方向中央寄りに向かうようになるので、吹出流の大半が通風抵抗体を通過することとなり、拡散効果が効果的になる。
【００１８】
本発明の第５の態様は、送風機からの吹出流を制御する緩流吹出構造であって、前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に断面がＵ字状のかまぼこ形状の所定体積の空間を形成するように配置され、且つ前記空間の側面が前記通風抵抗体により塞がれていると共に、前記通風抵抗体の上流側の吹出流路の前記空間の長手方向両側の一部が塞がれていることを特徴とする緩流吹出構造にある。
【００１９】
かかる第５の態様では、ファンからの吹出流が通風抵抗体の上流の空間に溜まって、通風抵抗体が吹出流により一番抵抗が少ないかまぼこ形状の空間に沿って変形し、吹出流は通風抵抗体の略全体に亘って略均一な風速で通過し、全体に亘って略均一な風速で且つ減じられた風速の吹出流となる。また、吹出流の全てが通風抵抗体により拡散され、全体に亘って略均一の風速の吹出流となる。さらに、通風抵抗体の上流側に流れ込む吹出流が通風抵抗体の長手方向中央寄りに向かうようになるので、吹出流の大半が通風抵抗体を通過することとなり、拡散効果が効果的になる。
【００２０】
本発明の第６の態様は、送風機からの吹出流を制御する緩流吹出構造であって、前記吹出流の吹出流路に柔軟性を有する通風抵抗体を有し、当該通風抵抗体は前記吹出流路の周縁部に固定されてその少なくとも中央部が前記吹出流の圧力で下流方向に膨出するように設けられていると共に、前記通風抵抗体が、上流側に球形状の所定体積の空間を形成するように配置され、且つ前記空間の側面が前記通風抵抗体により塞がれていると共に、前記通風抵抗体の上流側の吹出流路の前記空間の長手方向両側の一部が塞がれていることを特徴とする緩流吹出構造にある。
【００２１】
かかる第６の態様では、ファンからの吹出流が通風抵抗体の上流の空間に溜まって、通風抵抗体が吹出流により一番抵抗が少ない球形状に変形し、吹出流は通風抵抗体の全体に亘って略均一な風速で通過し、全体に亘って略均一の風速で且つ減じられた風速の吹出流となる。また、吹出流の全てが通風抵抗体により拡散され、全体に亘って略均一の風速の吹出流となる。さらに、通風抵抗体の上流側に流れ込む吹出流が通風抵抗体の長手方向中央寄りに向かうようになるので、吹出流の大半が通風抵抗体を通過することとなり、拡散効果が効果的になる。
【００２２】
本発明の第７の態様は、第１〜６の何れかの態様において、前記通風抵抗体が所定の厚さを有して前記吹出流を３次元方向に拡散する作用を有し、風速が１ｍ／ｓｅｃ時の圧力損失が１０Ｐａ以下であることを特徴とする緩流吹出構造にある。
【００２３】
かかる第７の態様では、通風抵抗体を通過する際に吹出流が３次元方向に拡散されるので、一方向へ大きな風速を有する吹出流とはならず、また、風量を実質的に低下させることがない。
【００２４】
本発明の第８の態様は、第１〜７の何れかの態様において、前記通風抵抗体の風速方向の圧力損失勾配ｔａｎθが１．７〜１．９であることを特徴とする緩流吹出構造にある。
【００２５】
かかる第８の態様では、風量が異なっても、処理風量を実質的に低下させることがない。
【００２６】
本発明の第９の態様は、第１〜８の何れかの態様において、前記通風抵抗体が連続気泡フォーム形態のシートからなることを特徴とする緩流吹出構造にある。
【００２７】
かかる第９の態様では、吹出流が通風抵抗体の連続気泡を通過する際に３次元的に拡散され、一方向へ大きな風速を有する吹出流とはならない。
【００２８】
本発明の第１０の態様は、第１〜９の何れかの態様において、前記通風抵抗体が網形態のシートを複数枚積層したものであることを特徴とする緩流吹出構造にある。
【００２９】
かかる第１０の態様では、吹出流が複数枚の網形態のシートを通過することにより３次元的に拡散され、一方向へ大きな風速を有する吹出流とはならない。
【００３４】
本発明の第１１の態様は、第１〜１０の何れかの態様の緩流吹出構造を具備することを特徴とする空気清浄装置にある。
【００３５】
かかる第１１の態様では、全体に亘って略均一の風速の吹出流となる空気清浄装置が実現される。
【００３６】
本発明の第１２の態様は、第１１の態様において、テーブル型であり、前記緩流吹出構造を通過した吹出流が少なくとも側面から吹き出されることを特徴とする空気清浄装置にある。
【００３７】
かかる第１２の態様では、側面の全体に亘って略均一の風速の吹出流となり、足寒感等の虞がない。
【００３８】
本発明の第１３の態様は、第１１又は１２の態様において、テーブル型であり、前記緩流吹出構造を通過した吹出流が少なくとも底面から吹き出されることを特徴とする空気清浄装置にある。
【００３９】
かかる第１３の態様では、底面全体に亘って略均一の風速の吹出流となり、足寒感等の虞がない。
【００４０】
【発明の実施の形態】
以下、本発明を実施形態に基づいて説明する。
【００４１】
図１は、一実施形態に係るテーブル型空気洗浄装置の一部を切り欠いた斜視図、図２はそのＡ−Ａ’断面図、図３はそのＢ−Ｂ’断面図である。
【００４２】
これら図面に示すように、本実施形態の空気清浄装置１０は、平均的なテーブル型の空気清浄装置であり、本発明の緩流吹出構造を組み込んだものである。空気清浄装置１０は、天板２０と、テーブル本体３０とを具備し、テーブル本体３０内には、集塵部４０及びファン５０が配置されており、ファン５０の吹出側下流側に緩流吹出構造６０が設けられている。
【００４３】
天板２０には、長方形の貫通孔である開口部２１が設けられており、これら開口部２１の上面側（外側）の開口にはスリット板２２が設けられている。
【００４４】
一方、集塵部４０は、図中上面側の吸引開口４１から吸い込んだ空気中のたばこ煙や塵埃等の粒子を静電気的に、濾過により、又はその両方の作用で集塵し、清浄化した空気を図中下面側の吹出開口４２から吹き出すものであれば何れの方式でもよいが、本実施形態では、静電式集塵方式の荷電集塵部を用いている。
【００４５】
すなわち、集塵部４０は、本実施形態では、例えば、吸込開口４１の内方に、順次、プレフィルタ、荷電部であるアナオナイザ、及び捕集部であるコレクタが内蔵されている。従って、吸込開口４１から含塵空気等を送り込むと、塵埃が除去された清浄空気が反対側の吸引開口４２から吐出されるようになっている。
【００４６】
また、アイオナイザ及びコレクタは、放電電極部材、対向電極部材、非集塵電極部材及び集塵電極部材の組み合わせにより形成し、対向電極部材及び集塵電極部材は体積固有抵抗値が１０７Ωｃｍ以下の導電性樹脂材料で形成し、非集塵電極部材は体積固有抵抗値が１０１０〜１０１３Ωｃｍの半導電性樹脂材料で形成するのが好ましい。この場合、アイオナイザは、放電電極部材と対向電極部材との組み合わせにより構成され、コレクタは、集塵電極部材と非集塵電極部材との組み合わせにより構成される。このように構成したアイオナイザ及びコレクタでは、アイオナイザにより荷電された粒子の中に導電性粉塵が混在していても、非集塵電極部材の電荷の移動が半導電性樹脂材料の抵抗で制限されるため、集塵部の非集塵電極部材と集塵電極部材との間でのスパーク発生が防止できる。
【００４７】
また、集塵部４０の下方側（吹出開口４２側）のファン５０は、シロッコファンであり、テーブル本体３０の長手方向に並んで一対設けられており、排出口５１が下方に向かって開口しており、排出口５１に合わせた開口を有する隔壁３５に固定されている。
【００４８】
このファン５０の下流側（排出口５１側）の吹出流路には、緩流吹出構造６０が設けられている。
【００４９】
緩流吹出構造６０は、ファン５０からの吹出流を導入する導入口となる隔壁６１と、隔壁６１の長辺縁部（短手方向両側の縁部）に弛んだ状態で固定された通風抵抗体６２と、隔壁６１と通風抵抗体６２との間の空間６３を有する。隔壁６１は、本実施形態では、多数の角孔を有する状態で形成されて多少の通風抵抗を有するもので、その長辺縁部に通風抵抗体６２がＵ字状に固定されている。また、隔壁６１の長手方向両側の端部は封止板６５により塞がれているが、その間の吹出流路の略全体は開放されている。さらに、隔壁６１と通風抵抗体６２とにより画成された空間６３の側方は、本実施形態では開放状態となっている。
【００５０】
勿論、隔壁６１はファン５０の排出口５１を固定した隔壁３５と共用して隔壁３５に通風抵抗体６２を設けてもよいが、隔壁３５と隔壁６１との間に空間を確保することにより、２つの排出口５１から吹き出される空気が隔壁６１の全体に亘って均一に拡がるという効果がある。
【００５１】
このような構成により、ファン５０の排出口５１からの吹出流は、隔壁６１を介して空間６３に導かれるようになっている。この際、隔壁６１の長手方向両端に封止板６５が設けられているので、ファン５０の排出口５１からの吹出流が通風抵抗体６２の中央部近傍に有効に当たるようになっている。また、封止板６５は、ファン５０の排出口５１からの吹出流通風抵抗体６２を通過しないで空間６３の側方から吹き出し難くしている。なお、封止板６５の設ける位置は特に限定されず、隔壁６１と通風抵抗体６２との間に設けてもよい。しかしながら、封止板６５を必ずしも設ける必要はなく、また、排出口５１と通風抵抗体６２とにより画成された空間６３が不足がちとなる場合は、封止板６５の上流側（排出口５１側）のテーブル本体３０の側面に開口を設け、吹出流の一部を本体外に放出させるような流れ制御体としての機能を持たせてもよい。但し、その吹出流の一部は、床面より離した側で床との間に緩流が介在させた方がよい。
【００５２】
なお、通風抵抗体６２を通過した吹出流は、テーブル本体３０の長手辺側側壁下部に設けられた吹出開口部３１と、短手辺側側壁下部に設けられた吹出開口部３２及び底面に設けられた吹出開口部３３を介して外部に吹き出される。
【００５３】
ここで、通風抵抗体６２は、隔壁６１より大きい寸法であって、柔軟性を有し、所定の通風抵抗を有するものであり、隔壁６１の短手縁部との固定端以外は実質的に固定されておらず、自由に変形可能なように設けられている。
【００５４】
よって、通風抵抗体６２が所定の通風抵抗を有すれば、吹出流の圧力により下方に突出した形状になり、全体として通風圧力が一番小さくなる形状となると予想される。また、このとき、通風抵抗体６２と隔壁６１との間には略かまぼこ形状の空間が画成されることになる。なお、下方に突出した通風抵抗体６２先端部が開口部３３を有するパネルに接触した状態となっても、接触しない状態で保持されていてもよいが、排出口５１からの吹出流によりある程度自由に変形できる状態となっていればよい。
【００５５】
柔軟性を有し、所定の通風抵抗を有する通風抵抗体６２としては、好適には、連続気泡を有する連続気泡フォーム形態のシートを用いることができ、具体的にはウレタンフォームシートなどを例示できる。
【００５６】
このような、通風抵抗体６２を設けることにより、ファン５０からの吹出流は、通風抵抗体６２の上流側の空間６３に溜まって当該通風抵抗体６２を風船のように膨らませた状態となり、全体の抵抗が一番小さい状態に変形されると考えられる。また、空間６３に溜まった吹出流が微細なセルが不規則に且つ連続的に配列されている連続気泡と３次元骨格とを有するフォーム形態の通風抵抗体６２を通過する際に、複雑に入り組んだ連続気泡と骨格構造とにより、通風抵抗体６２の厚さ方向に真っ直ぐに通過せず、内部で分散した流れとなり、その個々の流れが衝突や曲折を繰り返し、３次元的に拡散して通過すると考えられる。これにより、通風抵抗体６２通過後の吹出流の風速は通風抵抗体６２の面方向に亘って略均一になり且つ３次元方向に拡散される。
【００５７】
よって、通風抵抗体６２を通過して吹出開口部３１〜３３から吹き出される吹出流は、吹出開口部３１〜３３の面方向に亘って略均一になり且つ３次元方向に拡散された状態となるので、開口部の面方向に直交する方向の風速は著しく低減すると推定される。
【００５８】
従って、風量を低下させることなく、足寒感（ドラフト）を低減することができ、吹出開口部３１〜３３に近接して存在する壁や床への汚れの堆積スピードを低減し、また、誘引気流を発生させて吸込流に悪影響を与える虞もない。
【００５９】
ここで、通風抵抗体６２としては、後述する試験例等から知見した結果によると、ある程度の厚みをもった連続気泡フォーム形態のシートを用いるのが好ましいことがわかった。また、この通風抵抗体６２を設けることにより風量が減少してしまうと、吸込量が減少して空気清浄能力が低下してしまうので、風速が１ｍ／ｓｅｃ時の圧力損失が１０Ｐａ以下のものを用いるのが好ましく、風速方向の圧力損失勾配ｔａｎθが１．７〜１．９の間とするのが好ましいことを知見した。
【００６０】
このような条件を満たす通風抵抗体を上述したような緩流吹出構造に用いることにより、例えば、１５ｍ３／ｍｉｎ程度の風量の空気清浄装置で最大風速を２．５ｍ／ｓｅｃ以下の経験的に足寒感（ドラフト）を感じない風速まで低減することができる。勿論、このような風速だと、壁等の汚れや誘引気流発生の心配もない。
【００６１】
また、上述したように、柔軟性を有し、ある程度の厚さを有して３次元方向への拡散効果があり、圧力損失も上述した範囲にあるものであれば、網形態のシートを複数枚重ねて通風抵抗体としてもよい。かかる網形態のシートとしては、濾紙、不織布、織布、編物、網目や編目を有する各種フィルタ材料等を例示できる。
【００６２】
さらに、このような通風抵抗体の取付形態も通風抵抗体が固定される隔壁との間の空間が上述したような略かまぼこ形状のものに限定されず、半円柱形状、略球形状、又は半球形状など特に限定されない。
【００６３】
なお、このような緩流吹出構造を組み込むのは、空気清浄装置に限定されず、例えば、冷暖房及び換気等の空調装置などに組み込むことができる。
【００６４】
ここで、通風抵抗体６２として、種々の材料を用いた実施例を以下に示す。すなわち、連続気泡フォーム形態のシートを用いた場合（実施例１及び２）及び複数枚の網形態のシートを用いた場合（実施例３）を以下に示す。なお、図４〜図７は、各実施例１〜３及び比較例１及び２のファン５０及び通風抵抗体６２の概略斜視図である。
【００６５】
（実施例１）
図４に示すように、通風抵抗体６２として、連続気泡フォーム形態のウレタンシートで、セル数が１７〜２３ヶ／２５ｍｍの厚さ１０ｍｍのものを用いた。このポリウレタンフォームシートは、風速１ｍ／ｓｅｃの圧力損失が約７Ｐａで、風速方向の圧力損失の勾配（ｔａｎθ）が１．７２であった。また、上述した実施形態とは異なり、隔壁６１の長手方向両側を塞ぐ封止板６５は設けられていない。
【００６６】
なお、テーブル本体３０に内装される隔壁６１を２５０ｍｍ×７５０ｍｍとし、通風抵抗体６２を７５０ｍｍ×５００ｍｍ、厚さ１０ｍｍとした。通風抵抗体６２の長辺側両端部をそれぞれ隔壁６１の長手側の周縁部に固定し、断面がＵ字状となるかまぼこ形状を形成した。このときの通風抵抗体６２の下流方向への突出量は、約１５０ｍｍとなった。
【００６７】
また、ファン５０は、無負荷状態で６６０ｒｐｍ（５０Ｈｚ）、無負荷時の静圧と風量とがそれぞれ３４０Ｐａ、１１ｍ３／ｍｉｎのシロッコファンを用いた。
【００６８】
（実施例２）
図５に示すように、実施例１と同様のウレタンフォームシートを用いると共に略かまぼこ形状の空間６３の側面も塞ぐ通風抵抗体６２Ａとした以外は、上述した実施例１と同様とした。
【００６９】
（実施例３）
図６に示すように、２枚の編目フィルタシート（サランネット：商品名）からなる通風抵抗体６２Ｂとした以外は、上述した実施例１と同様とした。
【００７０】
（比較例１）
比較のため、図７に示すように、緩流吹出構造を装着しないで空気清浄装置とした。
【００７１】
（比較例２）
比較のため、図８に示すように、通風抵抗体として、編目フィルタシート９１（サランネット：商品名）を１枚設けた以外、上述した実施例３と同様とした。
【００７２】
（試験例１）
図９は、試験例１の試験方法を示すファン及び通風抵抗体の概略斜視図である。
【００７３】
図９に示すように、ファン５０を６６０ｒｐｍ（５０Ｈｚ）で作動させて、各実施例１〜３及び比較例１及び２の通風抵抗体の下流側の風速並びに風量を測定した。
【００７４】
なお、風速は、ファン５０の排出口５１と対向する通風抵抗体６２の底面の測定点１及び通風抵抗体６２の長手方向一端面上である測定点２にアネモマスタ８０の測定部８１を配置することにより行った。
【００７５】
この結果を表１に示す。
【００７６】
【表１】
0003620826.tif 000002
【００７７】
表１に示すように、各実施例１〜３の通風抵抗体６２近傍の風速は、比較例１及び２に比べ、風量が減少することなく風速が２．５ｍ／ｓｅｃ以下と経験的に足寒感を感じない風速以下になって、緩やかになっていることが確認された。特に、通風抵抗体６２としてウレタンフォームシートを用いた実施例１及び２が効果的であることが確認された。
【００７８】
なお、結果は省略するが、ウレタンフォームシートとして、セル範囲が１１〜１６ヶ／２５ｍｍ以下と大きいが、厚さが２０ｍｍで、圧力損失が７Ｐａと同程度のものを用いて同様に試験した結果、同程度の結果が得られたことが確認された。
【００７９】
（試験例２）
図１０は、試験例２の試験方法を示す空気清浄装置の正面図及び側面図である。
【００８０】
図１０に示すように、上述した実施例１及び比較例１の空気清浄装置の長手辺側及び短手辺側の床面近傍に、アネモマスタの測定部を配置し、縁部に沿った各位置での風速を測定した。この結果を図１１に示す。
【００８１】
図１１に示すように、比較例１の空気清浄装置は、縁部に沿った位置によって風速の大きさにムラが多く、均一でないが、実施例１では、風速が全体的に緩やかになっていると共に風速の大きさが略均一になっていることが確認された。
【００８２】
従って、緩流吹出構造による風速の低減に伴って、風量の減少を抑えて空気清浄装置の空気清浄能力（吸込性能）が悪化させることなく吹出流による足寒感（ドラフト）を防止することができ、また、吹出流が壁や床に衝突することで発生する汚れのスピードを遅くすることができ、さらに、吹出流による吸込流の誘引を防ぐことができる。
【００８３】
【発明の効果】
以上説明したように、吹出流路に柔軟性及び通気性を有する緩流吹出構造を設けることにより、吹出流を３次元的に拡散し、風量を減少させることなく風速を緩流化することができる。このため、このような緩流吹出構造を組み込んだ空気清浄装置では、空気清浄能力を低下させることなく、足寒感（ドラフト）を防止することができる。また、風速が緩やかになることによって、壁や床に吹出流が衝突することで発生する汚れのスピードを遅くすることができると共に吹出流による吸込流の誘引を防止することができる。
【図面の簡単な説明】
【図１】本発明の一実施形態のテーブル型の空気清浄装置の一部を切り欠いた概略斜視図である。
【図２】本発明の一実施形態のテーブル型の空気清浄装置の図２におけるＡ−Ａ’断面図である。
【図３】本発明の一実施形態のテーブル型の空気清浄装置の図２におけるＢ−Ｂ’断面図である。
【図４】本発明の実施例１の空気清浄装置の緩流吹出構造の概略構造を示す概略斜視図である。
【図５】本発明の実施例２の空気清浄装置の緩流吹出構造を表す概略斜視図である。
【図６】本発明の実施例３の空気清浄装置の緩流吹出構造を表す概略斜視図である。
【図７】本発明の比較例１の空気清浄装置の緩流吹出構造を表す概略斜視図である。
【図８】本発明の比較例２の空気清浄装置の緩流吹出構造を表す概略斜視図である。
【図９】試験例１の測定位置を示す緩流吹出構造の概略斜視図である。
【図１０】試験例２の測定位置を示す空気清浄装置の正面図及び側面図である。
【図１１】試験例２の風速分布を測定した結果を示す図である。
【符号の説明】
１０  空気清浄装置
２０  天板
３０  テーブル本体
４０  集塵部
５０  ファン
６０  緩流吹出構造
６１  隔壁
６２  通風抵抗体
６３  空間
【図１】
0003620826.tif 000003
【図２】
0003620826.tif 000004
【図３】
0003620826.tif 000005
【図４】
0003620826.tif 000006
【図５】
0003620826.tif 000007
【図６】
0003620826.tif 000008
【図７】
0003620826.tif 000009
【図８】
0003620826.tif 000010
【図９】
0003620826.tif 000011
【図１０】
0003620826.tif 000012
【図１１】
0003620826.tif 000013